【事件の表示】
　特許第３２３６９６９号「歯科用ハンドピース」の請求項１に係る特許に対する特許異議の申立てについて、次のとおり決定する。
【結　論】
　訂正を認める。
　特許第３２３６９６９号の請求項１に係る特許を取り消す。
【理　由】
１．手続の経緯
　本件特許第３２３６９６９号の請求項１に係る発明についての出願は、平成４年３月４日に出願され、平成１３年１０月５日に設定登録され、その後、異議申立人・西尾務により特許異議の申立てがなされ、平成１５年１月２０日付けで取消の理由が通知され、その指定期間内である平成１５年４月１日に訂正請求がなされたものである。
　　　
２．訂正の適否について
（１）訂正の内容
　特許権者が求める訂正の内容は以下のとおりのものである。
・訂正事項Ａ
　特許請求の範囲の【請求項１】の
「とから成り、該本体部（３）」を、「とから成り、
前記カバー部（２ａ）の開口端内面に設けたリング状溝（１１ａ）と前記本体部（３）に設けたリング状突起（１１ｂ）を弾性的に係止し、
・訂正事項Ｂ
　【発明の詳細な説明】中の段落【０００５】の「とから成り、該本体部（３）」を、「とから成り、
前記カバー部（２ａ）の開口端内面に設けたリング状溝（１１ａ）と前記本体部（３）に設けたリング状突起（１１ｂ）を弾性的に係止し、
（２）判断
　上記訂正事項Ａは、請求項１の「該本体部（３）と該外側カバー部（２）との相互間が着脱自在に構成された」という構成について、「前記カバー部（２ａ）の開口端内面に設けたリング状溝（１１ａ）と前記本体部（３）に設けたリング状突起（１１ｂ）を弾性的に係止し」たものと限定するものであるから、この訂正は、特許請求の範囲の減縮を目的とするものである。
　次に上記訂正事項Ｂは、上記訂正事項Ａによる訂正に伴い、特許請求の範囲と発明の詳細な説明の記載との整合を図るものであるから、この訂正は、明りょうでない記載の釈明を目的とするものである。
　そして、上記訂正事項Ａ及びＢは、願書に添付した明細書及び図面（以下、「特許明細書」という。）に、「更にその開口端の内面には内側に設けられたリング状溝１１ａとこれに対向して本体部３側に設けられたリング状突起１１ｂとがワンタッチで弾性的に係止される係止部１１が設けられている。」（段落【０００９】）なる記載がなされているから、特許明細書に記載した事項の範囲内でなされているものであるし、実質上特許請求の範囲を拡張し、又は変更するものでもない。
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　　
３．本件発明
　上記のとおり訂正が認められるから、本件特許の請求項１に係る発明（以下、「本件発明」という）は、訂正明細書の記載からみて、その特許請求の範囲の請求項１に記載されたとおりの次のものと認める。
「切削工具が装着されたロータを圧縮空気により回転させて治療するヘッド部を備えた歯科用ハンドピースにおいて、前記歯科用ハンドピースが前記ヘッド部（４）に圧縮空気を供給する空気流路（９）及び治療部に洗浄用水を供給する水流路（１０）からなる内蔵構成部（３ｂ）を有すると共に口腔内に挿入されないハンドグリップ部（３ａ）を除いた先方部分が１段細く形成された本体部（３）と、前記ヘッド部（４）に対して内部に空気流路（９）及び水流路（１０）を有するアングル部（５）と前記本体部（３）における内蔵構成部（３ｂ）部分を覆うカバー部（２ａ）とがプラスチックにて一体形成された外側カバー部（２）とから成り、
前記カバー部（２ａ）の開口端内面に設けたリング状溝（１１ａ）と前記本体部（３）に設けたリング状突起（１１ｂ）を弾性的に係止し、
　　
４．引用刊行物記載の発明及び事項
（１）取消理由通知において引用した刊行物１（特開昭５４−５６２９２号公報）には、「歯科用ハンドピース」に関して、以下の事項が図面とともに記載されている。
（イ）「図示の歯科用ハンドピースは、圧縮空気によって作動される歯科用器具駆動装置２を一端に設けた保持スリーブ１を有する。この駆動装置２は空気タービンとして構成され、中空回転軸３を有し、この軸内に歯科治療用器具４が挿入される。保持スリーブ１には、この保持スリーブ１に対し傾斜角をなして曲げられたひざ状またはクランク状部分６の胴体部５が接続されている。胴体部５の端部には、駆動装置２を収容する頭部７が配置され、回転軸３の軸線Ａは胴体部５の軸線Ｂにたいし略直角に延長している。」点（第５頁右下欄第５〜１５行）。
（ロ）「ひざ状部分６から離れた保持スリーブ１の端部には、ひざ状部分６に対し離脱可能に且つ回軸自在に、円筒状接続部材９が配置されている。保持スリーブ１から離れたこの接続部材９の端部１０には、圧力空気及び他の流体圧力媒体を保持スリーブ１へまたはそこから送るための離脱可能及び回転不能な可撓状の流体圧力供給ホース（図示せず）が接続される。この目的のため、流体圧力供給ホースは、接続部材端部１０に周知の方法でホース端部材１１を装備し、このホース端部材１１には上記供給ホースと結合するためのホース保持ノズル１２が固定される。また、ホース端部材１１には接続部材９のオネジ１３ａに螺合する軸方向に固定された袋ナット１３が配置され、ホース端部材１１と接続部材９とは、円盤シール１４を介装して、お互いに堅固に引張られかつ接続される。」点（第５頁右下欄第１６行〜第６頁左上欄第１５行）。
（ハ）「接続部材９は、４つの入口ソケット１５を有し略軸方向に伸びる流体圧力供給路すなわち第２流体圧力連通路１６を備え、これら供給路１６は、保持スリーブ１と接続部材９とが互に接続されたとき、歯科用ハンドピースの流体圧力媒体消費部に通ずる流体圧力供給路すなわち第１流体圧力連通路１７に接続される。第２図に示す円盤シール１４は、４つの入口ソケット１５を通す適当な通路を有する。流体圧力供給路１７のうち第１連通路は圧力空気を歯科用器具駆動装置２へ供給し、第２連通路は冷却水を歯科治療用器具４へ供給し、第３連通路は冷却空気を歯科治療用器具４へ供給し、第４連通路は歯科用器具駆動装置２の排気を排出する。」点（第６頁右上欄第２〜１５行）。
（ニ）「案内ピン１８は互いに直径の異なる複数個の軸方向部分１８ａ，１８ｂ，１８ｃを有し、これらの部分は、その直径が案内ピン１８の自由端に向けて段状に次第に小さくなるよう配置されている。」点（第７頁左上欄第１２〜１５行）。
（ホ）「歯科医は、歯の治療中に、手に持った保持スリーブを接続部材に対して特に容易に回転させ得ることになる。」点（第５頁左下欄第４〜６行）。
（ヘ）「前記接続部材９と保持スリーブ１との前記離脱可能な係合位置は、前記案内ピン１８の外周面と前記受入れ通路の内周面の間の前記シール２０のそれら内、外周面への係合によって得られる戻り止位置である、前記特許請求の範囲第１）項記載の歯科用ハンドピース」である点（第２頁左下欄第１２〜１７行）。
（ト）「本発明の構造によれば、分離に際しては、自己解放という意味で、（係合位置を維持しようという締付力に打ち勝ちながら）保持スリーブから接続部材をその案内ピンと共に引き離し、連結する際には、これらを互いに押し込むだけで実際に敏速に行えるので、保持スリーブと接続部材との分離または連結中における別個の作動工程、例えば周知構造における袋ナットまたは継手フックの作動は不要になる。この高速結合の結果、また保持スリーブと接続部材とが係合位置にある時に即ち当接部材の相互係合時に、案内ピンの出口開口がシール・リングの配設により媒体洩出の惧れなく保持スリーブの環状ダクトに連通される結果確実な媒体伝達または媒体通過が確保される。さらにまた、接続部材と保持スリーブとの分離により、保持スリーブはきわめて容易に消毒できる。」点（第４頁右上欄第１３行〜左下欄第１１行）。
（チ）「本発明による歯科用ハンドピースにおいて、係合位置はシールの弾性力だけで確保される。しかし、さらに案内ピンの外壁に環状溝を設け、保持スリーブの受入れ通路の壁部に設けた凹部に少なくとも１つの戻り止ボールを収容し、このボールをバネの作用によりその表面の一部が受入れ通路壁部の表面から突出して環状溝に係合するようにし、また保持スリーブと接続部材とを引き離す際或いはその一方を他方の中へ挿入する際にバネ作用に抗して変位して環状溝から離脱するようにしてもよい。」点（第５頁左上欄第１３行〜右上欄第６行）。
（リ）「２つのシール、例えば２つのパッキングリング２０の間に位置決めされる。パッキンリング２０は案内ピン１８の外周を取り巻き、その外周面が案内ピン１８の外周面からほんのわずか突出している。」点（第６頁左下欄第９〜１３行）。
　また、第１、２図には、以下の点が記載されていると認められる。
（ヌ）保持スリーブ１はハンドピースの長さのほぼ全体を構成する部材であって、かつ、保持スリーブ１のひざ状部分６から接続部材９との接続側端部までの長さは、ハンドピース全体の長さからみて、少なくとも全体の1/2程度のかなりの長さを有している点。
（ル）保持スリーブ１と接続部材９とは、接続部材９とホース端部材１１とを接続している袋ナット１３に近接した部分、すなわちハンドピースの供給ホース側端部において接続している点。
　これらの記載及び図面の記載を総合すると、刊行物１には、次の発明（以下、「引用発明１」という。）が記載されているものと認められる。
「歯科治療用器具４が装着された歯科用器具駆動装置２を圧力空気により駆動させる頭部７を備えた歯科用ハンドピースにおいて、前記歯科用ハンドピースが前記頭部７に圧力空気を供給する第２流体圧力連通路１６及び治療部に冷却水を供給する第２流体圧力連通路１６からなる案内ピン１８を有すると共に、ホース端部材１１を接続する袋ナット１３との接続部分を除いた先方部分が１段細く形成された接続部材９と、前記頭部７に対して内部に第１流体圧力連通路１７の第１連通路及び第２連通路を有するひざ状部分６の胴体部５と前記接続部材９における案内ピン１８を覆う部分とが一体形成された保持スリーブ１とから成り、案内ピン１８の外周面と前記受入れ通路の内周面を、案内ピン１８の外周を取り巻きその外周面が案内ピン１８の外周面からほんのわずか突出しているパッキンリング２０の弾性力により係止し、かつ、案内ピン外壁の環状溝と、保持スリーブの受入れ通路の壁部に設けられ、表面の一部を受入れ通路壁部の表面から突出させた戻り止ボールをバネの作用により係止し、該接続部材９と該保持スリーブ１との相互間が着脱自在に構成された歯科用ハンドピース。」
　　
（２）同じく引用した刊行物２（草野雅章，“樹脂製エアー・タービン・ハンドピースの開発に関する基礎的研究”，大阪大学歯学雑誌，大阪大学歯学会，平成元年６月１０日発行，第３４巻，第１号，p.１７４−１９２）には、「樹脂製エアー・タービン・ハンドピースの開発に関する基礎的研究」に関し、以下の事項が記載されている。
（イ）「本研究では、このような金属製ハンドピースの欠点を、材料を可能な限り樹脂化することにより改善することを試みた。その理由は、樹脂は軽量で吸振特性の良い材料でもあり成形材料としてみると着色自由で審美性の優れたものが得られるからである。また、樹脂は主として射出成型によって精度良く製作でき、かつ、成形後の機械加工をほとんど必要としないのでコスト・ダウンをはかることができるという可能性をもっているからである。このような点に着目して、樹脂製ハンドピースの開発を試みた。試作した樹脂製ハンドピースは、シングル・ノズル・タイプと、マルチ・ノズル・タイプの２種類で、それぞれハウジングを樹脂製にし、タービン・ブレードも樹脂製のものを試作した。」点（第１７４頁左欄第２４行〜同頁右欄第１２行）。
（ロ）「最初に、ハンドピースの製作に用いた樹脂の諸特性について検討する。・・・ポリアセタール樹脂は、力学的性質が優れているので、代表的なエンジニアリングプラスチックスとして、金属代替材料としての用途が開拓されてきた。引張り強さ、曲げ強さ、圧縮強さは、ポリアミド樹脂、ポリカーボネート樹脂とともに熱可塑性樹脂中最高水準にある。耐疲労性は熱可塑性樹脂の中では最も優秀であり、耐摩耗性、耐クリープ性も優れている。・・・熱的性質をみると、熱変形温度は１２４℃（１８．５kgf/cm2負荷）である。化学的性質としては、耐溶剤性が優れている。ポリアセタール樹脂は常温では、あらゆる有機溶剤に溶解しないといわれる。ガラス繊維強化品種は弾性率が２〜３倍になり、熱変形温度が３０〜４０℃上がり、成形収縮率も1/2程度に低下する。歯科用ハンドピースは、高圧蒸気滅菌法で滅菌・消毒を行うので耐熱性が要求される。高圧蒸気滅菌法は、高圧蒸気滅菌装置（オートクレーブ Autoclave）を用いた消毒法であり、通常、１２０〜１２１℃（蒸気圧２kgf/cm2）で行う。従って耐熱性の点では問題があるので、実用化の段階では、今後耐熱性の良い樹脂を使用する必要がある。」点（第１８３頁右欄第１８行から第１８４頁右欄最終行）。
（ハ）「一方、ＡＢＳ樹脂は、アクリロニトリル、ブタジエンおよびスチレンの３成分から成る一群の耐衝撃性熱可塑性樹脂の総称である。・・・ＡＢＳ樹脂の特長は耐衝撃性である。その他、耐化学薬品性、耐油性、加工適応性、寸法安定性、耐クリープ性、耐ストレスクラッキング性、審美性に優れている。・・・ＡＢＳ樹脂は、その製法、使用する樹脂の組成および分子量、ゴムの種類・組成、粒子径、架橋度、樹脂とゴムとの割合などを変えることによって、あるいは第四成分を追加することによって、性質を大きく変えることが可能である。」点（第１８５頁右欄第１〜１６行）。
（ニ）「試作の段階では、切削性を考慮してポリアセタール樹脂とＡＢＳ樹脂を用いたが、今後、実用化の段階では、成形材料としてポリエーテルスルホン、ポリフェニレンスルフィド、ポリイミド、フッ素樹脂等の耐熱性樹脂の採用を考えている。樹脂は、成形材料としてみると着色自由でかつ多彩なデザインが可能で審美性の優れたものが得られ、また、主として射出成形によって精度良く製作でき、かつ、機械加工をほとんど必要としないのでコスト・ダウンをはかることができる。」点（第１８５頁右欄第１７行〜第１８６頁左欄第６行）。
（ホ）「ハンドピースの軽量化に伴う操作性の向上、音響工学的特性の向上、デザイン的には審美性の向上などの諸特性を備え、さらに、経済性を考慮してコスト・ダウンをはかった、新しい樹脂製エアー・タービン・ハンドピースの開発が可能であることが明らかとなった。」点（第１８９頁右欄第３１〜３６行）。
　　
５．本件発明と引用発明との対比
　本件発明と引用発明１とを対比すると、引用発明１の「歯科治療用器具４」、「歯科用器具駆動装置２」、「圧力空気」、「頭部７」、「接続部材９」、「保持スリーブ１」は、その機能と構成から、本件発明の「切削工具」、「ロータ」、「圧縮空気」、「ヘッド部」、「本体部（３）」、「外側カバー部（２）」に、それぞれ相当している。
　また、引用発明１の「頭部７に圧力空気を供給する第２流体圧力連通路１６及び治療部に冷却水を供給する第２流体圧力連通路１６からなる案内ピン１８」、「頭部７に対して内部に第１流体圧力連通路１７の第１連通路及び第２連通路を有するひざ状部分６の胴体部５」は、その機能と構造から、本件発明の「ヘッド部（４）に圧縮空気を供給する空気流路（９）及び治療部に洗浄用水を供給する水流路（１０）からなる内蔵構成部（３ｂ）」、「ヘッド部（４）に対して内部に空気流路（９）及び水流路（１０）を有するアングル部（５）」に相当している。
　そして、引用発明１の「接続部材９」における「ホース端部材１１を接続する袋ナット１３との接続部分」は、その構造からみて、本件発明の「ハンドグリップ部（３ａ）」に相当するものである。
　そうしてみると、両者は、「切削工具が装着されたロータを圧縮空気により回転させて治療するヘッド部を備えた歯科用ハンドピースにおいて、前記歯科用ハンドピースが前記ヘッド部に圧縮空気を供給する空気流路及び治療部に洗浄用水を供給する水流路からなる内蔵構成部を有すると共にハンドグリップ部を除いた先方部分が１段細く形成された本体部と、前記ヘッド部に対して内部に空気流路及び水流路を有するアングル部と前記本体部における内蔵構成部部分を覆うカバー部とが一体形成された外側カバー部とから成り、該本体部と該外側カバー部との相互間を着脱自在に構成した歯科用ハンドピース。」である点で一致し、次の点で相違している。
　　
（Ａ）本件発明においては、本体部のハンドグリップ部は「口腔内に挿入されない」ものであるのに対して、引用発明１においては、ハンドグリップ部（接続部材９におけるホース端部材１１を接続する袋ナット１３との接続部分）が口腔内に挿入されないものであるかどうかは明確にされていない点。
（Ｂ）本件発明においては、外側カバー部は「プラスチック」にて形成されたものであるのに対し、引用発明１においては、外側カバー部（保持スリーブ１）の材料は特定されていない点。
（Ｃ）本体部と外側カバー部との着脱自在な係止構造について、本件発明においては、「カバー部（２ａ）の開口端内面に設けたリング状溝（１１ａ）と本体部（３）に設けたリング状突起（１１ｂ）を弾性的に係止し」ているのに対して、引用発明１においては、「案内ピン１８の外周面と受入れ通路の内周面を、案内ピン１８の外周を取り巻きその外周面が案内ピン１８の外周面からほんのわずか突出しているパッキンリング２０の弾性力により係止し、かつ、案内ピン外壁の環状溝と、保持スリーブの受入れ通路の壁部に設けられ、表面の一部を受入れ通路壁部の表面から突出させた戻り止ボールをバネの作用により係止し」ている点。
　　
　そこでまず、上記相違点（Ａ）について検討する。
　上記刊行物１に記載された歯科用ハンドピースの全体構造についてみると、歯科用ハンドピースは、そのほぼ全体長さが保持スリーブ１で構成され、頭部７とは反対側の保持スリーブ１の端部において、保持スリーブ１と接続部材９とが接続されている。そして、接続部材９の保持スリーブ１端部から突出した部分のオネジ１３ａに、接続部材９とホース端部材１１とを接続する袋ナット１３が螺合している（刊行物１の第１、２図および上記４．（１）（ロ）、（ヌ）、（ル）の記載参照）。
　そして、上記歯科用ハンドピースを用いて治療する際に、歯科医は当該ハンドピースの保持スリーブ１を握って使用することを考慮すれば（上記４．（１）（ホ）の記載参照）、頭部７とは反対側のハンドピース端部にあって、頭部とは十分に離れた位置にある、引用発明１の「接続部材９におけるホース端部材１１を接続する袋ナット１３との接続部分」（本件発明の「ハンドグリップ部」に相当）は、口腔内に挿入されないものであることが明らかというべきである。よって、上記相違点（Ａ）は、表現上の差異はあるものの、実質的な相違があるとはいえない。
　次に、上記相違点（Ｂ）について検討する。
　上記刊行物２には、引用発明１と技術分野を同じくする歯科用ハンドピースにおいて、ハンドピース用の材料として樹脂、すなわちプラスチックを用い得ることが記載されており、また、材料にプラスチックを用いればコスト・ダウンがはかれることも記載されている（上記４．（２）（イ）〜（ホ）の記載参照）。してみると、歯科用ハンドピースの構成部材である、引用発明１の保持スリーブ（外側カバー部）の材料にプラスチックを用いて、本件発明のようにすることは、当業者が容易になし得ることである。
　そして、上記相違点（Ｃ）について検討する。
　上記引用発明１の具体的な係止構造についてみると、「案内ピン１８の外周を取り巻きその外周面が案内ピン１８の外周面からほんのわずか突出しているパッキンリング２０の弾性力により係止し」ている点は、リング状突起により弾性的に係止する構造であり、「案内ピン外壁の環状溝と、保持スリーブの受入れ通路の壁部に設けられ、表面の一部を受入れ通路壁部の表面から突出させた戻り止ボールをバネの作用により係止し」ている点は、リング状溝に突起を弾性的に係止する構造である。してみると、本体部と外側カバー部との着脱自在な係止構造において、上記引用発明１のものも、リング状突起により弾性的に係止する点、リング状溝と突起を弾性的に係止する点について、本件発明の係止構造と軌を一にするものであると言い得るところ、管状部材同士あるいは棒状部材と管状部材との軸方向への着脱自在な係止構造として、係止部において相対向する一方の部材周面にリング状溝を、他方の部材周面に該リング状溝に対応したリング状突起を設けて、両者を弾性的に係止させることは、例を挙げるまでもなく本願出願前周知の係止構造であるし、プラスチック材料のものに上記周知の係止構造を採用すること並びに相対向する部材のどちらの周面に凹溝（または突起）を設けるようにするかは、当業者が所望により適宜設定し得る設計的事項にすぎないことを勘案すれば、上記引用発明１のものに代えて上記周知の係止構造を採用し、本件発明の如き係止構造とすることは、当業者が容易に想到し得ることといえる。
　　
　そして、本件発明により奏される効果についても、上記刊行物１〜２に記載された事項並びに上記周知の技術から予測し得る範囲内のものである。
　　
　なお、請求人は特許異議意見書において、本件発明の外側カバー部は「使用後は使い捨てにする構成」である旨主張している。しかしながら、特許請求の範囲の記載には、「前記ヘッド部（４）に対して内部に空気流路（９）及び水流路（１０）を有するアングル部（５）と前記本体部（３）における内蔵構成部（３ｂ）部分を覆うカバー部（２ａ）とがプラスチックにて一体形成された外側カバー部（２）」および「前記カバー部（２ａ）の開口端内面に設けたリング状溝（１１ａ）と前記本体部（３）に設けたリング状突起（１１ｂ）を弾性的に係止し、該本体部（３）と該外側カバー部（２）との相互間を着脱自在に構成した」と規定するのみであって、このような材料および係止構造の規定によって、当該部材が「使用後は使い捨てにする」ものであると一義的に特定されるとは到底認められないから、請求人の上記主張は特許請求の範囲に記載された構成に基づかない主張であって、これを採用することはできない。
　　
６．むすび
　したがって、本件発明は、上記刊行物１〜２に記載された事項並びに上記本件出願前周知の技術に基いて当業者が容易に発明をすることができたものであるから、特許法第２９条第２項の規定により特許を受けることができない。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１５年７月４日（２００３．７．４）
【訂正の要旨】
審決（決定）の【理由】欄参照。
（５４）【発明の名称】
歯科用ハンドピース
（５７）【特許請求の範囲】
　【請求項１】　切削工具が装着されたロータを圧縮空気により回転させて治療するヘッド部を備えた歯科用ハンドピースにおいて、前記歯科用ハンドピースが前記ヘッド部（４）に圧縮空気を供給する空気流路（９）及び治療部に洗浄用水を供給する水流路（１０）からなる内蔵構成部（３ｂ）を有すると共に口腔内に挿入されないハンドグリップ部（３ａ）を除いた先方部分が１段細く形成された本体部（３）と、前記ヘッド部（４）に対して内部に空気流路（９）及び水流路（１０）を有するアングル部（５）と前記本体部（３）における内蔵構成部（３ｂ）部分を覆うカバー部（２ａ）とがプラスチックにて一体形成された外側カバー部（２）
とから成り、前記カバー部（２ａ）の開口端内面に設けたリング状溝（１１ａ）と前記本体部（３）に設けたリング状突起（１１ｂ）を弾性的に係止し、該本体部（３）
【発明の詳細な説明】
　【０００１】
　【発明の属する技術分野】
　本発明は、安価にて量産可能な歯科用ハンドピースに関する。
　【０００２】
　【従来の技術】
　従来の歯科用ハンドピースは、殆どが機械加工部品の組み立てにて構成された高価なものであり、しかも口腔内にて使用するものであるために、病原体所有の患者に用いたハンドピースを他の患者に用いると唾液や血液にて病原菌が感染するという問題があった。このために従来は、切削工具を取り付けるヘッド部を本体部に対してネジ又はワンタッチジョイント等にて着脱可能に構成しており、ハンドピースの使用時には滅菌消毒したヘッド部を装着し、使用後はヘッド部を取り外して滅菌消毒し、繰り返し使用することが行なわれていた。
　【０００３】
　【発明が解決しようとする課題】
　しかしながら、前記従来の歯科用ハンドピースは、多くの機械加工部品にて構成された複雑かつ高価なものであるために使い捨てにすることができず、また例えばオートクレープ及びケミクレープにより滅菌消毒をする場合においても専用の液が必要で長時間を要すると共にハンドピースの材質が耐熱性を有するものでなければならなかった。また他の例として紫外線照射による消毒の場合は短時間で済むものの、紫外線が当たらない部分、即ち内部や陰になる部分等の消毒ができないという問題があった。
　【０００４】
　よって、本発明は前記問題点に鑑みてなされたものであり、ハンドピース本体部に対して外側カバー部を着脱自在に構成すると共に外側カバー部を安価に製造し、１治療ごとに外側カバー部を使い捨て可能にすることによりハンドピース全体の滅菌作業を不要にした歯科用ハンドピースの提供を目的とする。
　【０００５】
　【課題を解決するための手段】
　上記目的を達成するため、本発明の歯科用ハンドピースは、切削工具が装着されたロータを圧縮空気により回転させて治療するヘッド部を備えた歯科用ハンドピースにおいて、前記歯科用ハンドピースが前記ヘッド部（４）に圧縮空気を供給する空気流路（９）及び治療部に洗浄用水を供給する水流路（１０）からなる内蔵構成部（３ｂ）を有すると共に口腔内に挿入されないハンドグリップ部（３ａ）を除いた先方部分が１段細く形成された本体部（３）と、前記ヘッド部（４）に対して内部に空気流路（９）及び水流路（１０）を有するアングル部（５）と前記本体部（３）における内蔵構成部（３ｂ）部分を覆うカバー部（２ａ）とがプラスチックにて一体形成された外側カバー部（２）
とから成り、前記カバー部（２ａ）の開口端内面に設けたリング状溝（１１ａ）と前記本体部（３）に設けたリング状突起（１１ｂ）を弾性的に係止し、該本体部（３）
　【０００６】
　本発明によれば、歯科用ハンドピースの本体部と外側カバー部との相互間を着脱自在に構成すると共に口腔内に挿入される本体部の全ての範囲が外側カバー部にて覆われているので本体部の滅菌消毒が不要となり、また外側カバー部をプラスチックにて安価に形成して１治療毎に使い捨てにすることにより外側カバー部の滅菌消毒も不要となり、歯科用ハンドピースの全体が滅菌消毒不要となる。
　【０００７】
　【発明の実施の形態】
　（実施の形態１）
　図１及び図２は本発明の実施の形態１を示し、図１は歯科用ハンドピースの部分断面図、図２は外側カバー部と本体部の相互間を分離した状態を示す断面図である。
　【０００８】
　本発明におけるハンドピース１は、外側カバー部２と本体部３とにより構成されている。
　本体部３は、その内部に切削工具を回転させる圧縮空気の空気流路９及び治療部に洗浄用水を供給する水流路１０からなる内蔵構成部３ｂが設けられ、内蔵構成部３ｂは口腔内に挿入されないハンドグリップ部３ａを除く先方の真直部分が一段細く形成されて、その部分が後述のカバー部２ａにより覆われる内蔵構成部３ｂとなっている。
　【０００９】
　一方、外側カバー部２は、先端に設けられたヘッド部４に対してアングル部５とカバー部２ａとが連設され、プラスチックにて安価に一体形成されている。そして、アングル部５はその内部に空気流路９及び水流路１０が設けられ、またカバー部２ａは中空に形成され、本体部３側の内蔵構成部３ｂの外周を覆う部分となっている。更にその開口端には内側に設けられたリング状溝１１ａとこれに対向して本体部３側に設けられたリング状突起１１ｂとがワンタッチで弾性的に係止される係止部１１が設けられている。
　【００１０】
　以上の構成により、ハンドピース１は、本体部３側のハンドグリップ部３ａを除く内蔵構成部３ｂを外側カバー部２に挿入することにより内蔵構成部３ｂはカバー部２ａにて覆われ、係止部１１がワンタッチで弾性的に係止されて装着が完了する。この装着により本体部３はハンドグリップ部３ａを除いた先方部分の全てが外側カバー部２にて覆われた状態となり、同時に内蔵構成部３ｂの先端に開口した空気流路９及び水流路１０が外側カバー部２のアングル部５内に開口した空気流路９及び水流路１０に連通され、圧縮空気と洗浄用水がヘッド部４に送り込まれ得る態勢となる。
　なお、図１及び２における符号６はロータ、７はロータの軸受、８は切削工具のチャックを示す。
　【００１１】
　本実施の形態によれば、外側カバー部２と本体部３との相互間が着脱自在に構成され、しかも外側カバー部２がプラスチックにて安価に形成されているので外側カバー部２の使い捨てが可能となる。また本体部３の口腔内に挿入されないハンドグリップ部３ａを除く全ての範囲が外側カバー部２にて覆われているので、本体部３は滅菌消毒する必要がなく、また口腔内に挿入される外側カバー部２は治療後に外して廃棄すことによりハンドピース１の全体が滅菌消毒不要となる。
　【００１２】
　（実施の形態２）
　図３は、本発明の実施の形態２を示す光導体を内設したハンドピースの断面図である。
　本実施の形態では、前記実施の形態１におけるハンドピース１における外側カバー部２のアングル部５に治療部を照射する光導体１２を内設したことを異にするものであり、その他の構成は前記実施の形態１と同様であるので同一構成部分には同一符号を付してその説明を省略する。
　【００１３】
　本実施の形態によれば、前記実施の形態１と同様な作用効果が得られる。
　【００１４】
　【発明の効果】
　以上説明したように、本発明の歯科用ハンドピースによれば、外側カバー部と本体部との相互間を着脱自在に構成し、プラスチックにて安価に形成した外側カバー部にて本体部の口腔内に挿入されないハンドグリップ部を除く全ての範囲を覆うことにより、本体部は口腔内壁に接触しないので滅菌消毒の必要がなく、また、口腔内壁に接触する外側カバー部は使用後に外して使い捨てにすることにより、ハンドピース全体が滅菌消毒不要となる。
　これにより治療時におけるエイズや肝炎等の感染防止が可能となる。
【図面の簡単な説明】
　【図１】
　本発明の実施の形態１に係る歯科用ハンドピースの部分断面図である。
　【図２】
　外側カバー部と本体部の相互間を分離した状態を示す断面図である。
　【図３】
　本発明の実施の形態２に係る光導体を内設したハンドピースの断面図である。
　【符号の説明】
　１　ハンドピース
　２　外側カバー部
　２ａ　カバー部
　３　本体部
　３ａ　ハンドグリップ部
　３ｂ　内蔵構成部
　４　ヘッド部
　５　アングル部
　６　ロータ
　７　軸受
　８　チャック
　９　空気流路
　１０　水流路
　１１　係止部
　１２　光導体